【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
ａ）本体布糸成分と、
ｂ）本体布糸成分よりも少なくとも２０％大きい引張強度を有する合成リップストップ糸成分と、
ｃ）合成ステープルファイバー・シースおよび無機コアを有する糸を含んでなる耐切断性糸成分と
を含んでなる糸成分から製造された防護服に有用な織布であって、
本体布糸成分、リップストップ糸成分、および耐切断性糸成分がすべて少なくとも１つの糸よりなり、かつ、各糸成分が直交する糸成分を織り込むことによって隣接する糸成分から区別される織布。
【請求項２】
ａ）本体布糸成分と、
ｂ）本体布糸成分よりも少なくとも２０％大きい引張強度を有する合成リップストップ糸成分と、
ｃ）合成繊維シースおよび無機コアを有する糸を含んでなる耐切断性糸成分と
を含んでなる直交するたて糸およびよこ糸成分から製造された防護服に有用な織布であって、
本体布糸成分、リップストップ糸成分、および耐切断性糸成分がすべて布において個々のまたは諸撚りされたたて糸およびよこ糸よりなり、かつ、
５〜９つごとの直交するたて糸およびよこ糸成分がリップストップ糸成分である織布。
【請求項３】
ａ）本体布糸成分と、
ｂ）本体布糸成分よりも少なくとも２０％大きい引張強度を有する合成リップストップ糸成分と、
ｃ）合成ステープルファイバー・シースおよび無機コアを有する糸を含んでなる耐切断性糸成分と
を含んでなる直交する糸成分から製造された防護服に有用な織布であって、
本体布糸成分、リップストップ糸成分、および耐切断性糸成分がすべて少なくとも１つの糸よりなり、かつ、各糸成分が直交する糸成分を織り込むことによって隣接する糸成分から区別され、該リップストップ糸成分が該耐切断性糸成分に直交している織布。
【請求項４】
ａ）本体布糸成分と、合成ステープルファイバー・シースおよび無機コアを有する糸を含んでなる耐切断性糸成分とから布を織る工程と、
ｂ）本体布糸成分よりも少なくとも２０％大きい引張強度を有する合成リップストップ糸成分を５〜９つごとのたて糸およびよこ糸成分のところで織物中へ挿入する工程と
を含んでなるたて糸およびよこ糸成分から製造された防護服に有用な織布の製造方法。
【請求項５】
ａ）本体布糸成分から布を織る工程と、
ｂ）各成分が本体布糸成分よりも少なくとも２０％大きい引張強度を有する合成リップストップ糸成分を５〜９つごとの糸成分のところで織物中へ挿入してリップストップ糸成分の平行アレイを生み出す工程と、
ｃ）平行のリップストップ糸成分のアレイに直交して、各耐切断性糸成分が合成ステープルファイバー・シースおよび無機コアを有する糸を含んでなる耐切断性糸成分の平行アレイを織物中へ挿入する工程と
を含んでなる直交する糸成分から製造された防護服に有用な織布の製造方法。
【手続補正２】
【補正対象書類名】明細書
【補正対象項目名】００４４
【補正方法】変更
【補正の内容】
【００４４】
【表１】
2005529250.tif 000001
本発明の好適な実施の態様は次のとおりである。
１．ａ）本体布糸成分と、
ｂ）本体布糸成分よりも少なくとも２０％大きい引張強度を有する合成リップストップ糸成分と、
ｃ）合成ステープルファイバー・シースおよび無機コアを有する糸を含んでなる耐切断性糸成分と
を含んでなる糸成分から製造された防護服に有用な織布であって、
本体布糸成分、リップストップ糸成分、および耐切断性糸成分がすべて少なくとも１つの糸よりなり、かつ、各糸成分が直交する糸成分を織り込むことによって隣接する糸成分から区別される織布。
２．リップストップ糸成分がけん縮加工または嵩高加工された連続フィラメント糸を含んでなる上記１に記載の織布。
３．リップストップ糸成分がポリ（ｐ−フェニレンテレフタルアミド）繊維を含んでなる糸から製造される上記１に記載の織布。
４．リップストップ糸成分が難燃性繊維から製造された糸を含んでなる上記１に記載の織布。
５．リップストップ糸成分が、難燃性繊維から製造された糸に加えて、リップストップ糸成分の２０重量％までの量でナイロン繊維を含んでなる上記４に記載の織布。
６．耐切断性糸成分糸のステープルファイバー・シースがポリ（ｐ−フェニレンテレフタルアミド）から製造されたステープルファイバーを含んでなり、かつ、無機コアが金属繊維を含んでなる上記１に記載の織布。
７．耐切断性糸成分糸のステープルファイバー・シースが耐切断性ステープルファイバーを含んでなる上記１に記載の織布。
８．耐切断性糸成分糸が、耐切断性ステープルファイバーに加えて、耐切断性糸成分糸の２０重量％までの量でナイロン繊維を含んでなる上記７に記載の織布。
９．本体布成分が難燃性繊維の糸を含んでなる上記１に記載の布。
１０．本体布糸成分糸が、難燃性繊維に加えて、本体布糸の２０重量％までの量でナイロン繊維を含んでなる上記９に記載の織布。
１１．ａ）本体布糸成分と、
ｂ）本体布糸成分よりも少なくとも２０％大きい引張強度を有する合成リップストップ糸成分と、
ｃ）合成繊維シースおよび無機コアを有する糸を含んでなる耐切断性糸成分と
を含んでなる直交するたて糸およびよこ糸成分から製造された防護服に有用な織布であって、
本体布糸成分、リップストップ糸成分、および耐切断性糸成分がすべて布において個々のまたは諸撚りされたたて糸およびよこ糸よりなり、かつ、
５〜９つごとの直交するたて糸およびよこ糸成分がリップストップ糸成分である織布。
１２．耐切断性糸成分がたて糸およびよこ糸の両方中であらゆるリップストップ糸成分の間に配置されている上記１１に記載の織布。
１３．リップストップ糸成分がけん縮加工または嵩高加工された連続フィラメント糸を含んでなる上記１１に記載の織布。
１４．ａ）本体布糸成分と、
ｂ）本体布糸成分よりも少なくとも２０％大きい引張強度を有する合成リップストップ糸成分と、
ｃ）合成ステープルファイバー・シースおよび無機コアを有する糸を含んでなる耐切断性糸成分と
を含んでなる直交する糸成分から製造された防護服に有用な織布であって、
本体布糸成分、リップストップ糸成分、および耐切断性糸成分がすべて少なくとも１つの糸よりなり、かつ、各糸成分が直交する糸成分を織り込むことによって隣接する糸成分から区別され、該リップストップ糸成分が該耐切断性糸成分に直交している織布。
１５．リップストップ糸成分がけん縮加工または嵩高加工された連続フィラメント糸を含んでなる上記１４に記載の織布。
１６．ａ）本体布糸成分と、合成ステープルファイバー・シースおよび無機コアを有する糸を含んでなる耐切断性糸成分とから布を織る工程と、
ｂ）本体布糸成分よりも少なくとも２０％大きい引張強度を有する合成リップストップ糸成分を５〜９つごとのたて糸およびよこ糸成分のところで織物中へ挿入する工程とを含んでなるたて糸およびよこ糸成分から製造された防護服に有用な織布の製造方法。
１７．ａ）本体布糸成分から布を織る工程と、
ｂ）各成分が本体布糸成分よりも少なくとも２０％大きい引張強度を有する合成リップストップ糸成分を５〜９つごとの糸成分のところで織物中へ挿入してリップストップ糸成分の平行アレイを生み出す工程と、
ｃ）平行のリップストップ糸成分のアレイに直交して、各耐切断性糸成分が合成ステープルファイバー・シースおよび無機コアを有する糸を含んでなる耐切断性糸成分の平行アレイを織物中へ挿入する工程と
を含んでなる直交する糸成分から製造された防護服に有用な織布の製造方法。